【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
複数のヘッドを長手方向につなぎ合わせて構成され、隣接するヘッドと対向する面となる各ヘッドの側面に撥液処理が施されたラインヘッドと、
前記ヘッドの液体吐出面の反対側において、隣接するヘッド間に設けられ、前記ヘッド間へ一方の端が挿入されるチューブを支持するチューブ支持部材と、
前記チューブの他方の端に接続され、前記ヘッド間へ前記一方の端から気体を供給する気体供給手段と、
を備えた液体吐出装置。
【請求項２】
前記ヘッド間へ液体を供給する液体供給手段と、
前記ヘッド間を吸引する吸引手段と、
を備えた請求項１に記載の液体吐出装置。
【請求項３】
前記ヘッド間と、前記気体供給手段と接続される気体供給チューブ、前記液体供給手段と接続される液体供給チューブ、及び前記吸引手段と接続される吸引チューブとの接続関係を選択的に切り換える切換手段を備えた請求項２に記載の液体吐出装置。
【請求項４】
前記気体供給チューブを少なくとも２本備え、
前記気体供給チューブは、前記ラインヘッドの短手方向における前記ヘッド間の両端に配置される請求項３に記載の液体吐出装置。
【請求項５】
前記液体供給手段は、前記ヘッド間へ洗浄液を供給する洗浄液供給手段と、
前記ヘッド間へ水を供給する水供給手段と、
を備えた請求項２から４のいずれか１項に記載の液体吐出装置。
【請求項６】
前記ヘッド間と、前記洗浄液供給手段及び前記水供給手段との接続関係を切り換える液切換手段を備えた請求項５に記載の液体吐出装置。
【請求項７】
前記気体供給手段から前記ヘッド間へ供給される気体に乾燥処理を施す乾燥手段を備えた請求項１から６のいずれか１項に記載の液体吐出装置。
【請求項８】
前記ヘッド間を吸引する吸引手段を備えた請求項１に記載の液体吐出装置。
【請求項９】
前記ヘッド間と、前記気体供給手段と接続される気体供給チューブ及び前記吸引手段と接続される吸引チューブとの接続関係を切り換える供給吸引切換手段を備えた請求項８に記載の液体吐出装置。
【請求項１０】
前記ヘッド間へ液体を供給する液体供給手段を備えた請求項１に記載の液体吐出装置。
【請求項１１】
前記ヘッド間と、前記気体供給手段と接続される気体供給チューブ及び前記液体供給手段と接続される液体供給チューブとの接続関係を切り換える気体液体切換手段を備えた請求項１０に記載の液体吐出装置。
【請求項１２】
前記液体供給手段は、前記ヘッド間へ洗浄液を供給する洗浄液供給手段と、
前記ヘッド間へ水を供給する水供給手段と、
を備えた請求項１０又は１１に記載の液体吐出装置。
【請求項１３】
前記ヘッド間と、前記洗浄液供給手段及び前記水供給手段との接続関係を切り換える液切換手段を備えた請求項１２に記載の液体吐出装置。
【請求項１４】
前記気体供給手段から前記ヘッド間へ気体が供給された状態で、前記ヘッドの液体吐出面を払拭する払拭手段を備えた請求項２から６のいずれか１項、又は請求項１０から１３のいずれか１項に記載の液体吐出装置。
【請求項１５】
前記払拭手段は、前記気体供給手段から前記ヘッド間へ気体が供給された状態であり、前記液体供給手段から液体が供給された状態で前記ヘッドの液体吐出面を払拭する請求項１４に記載の液体吐出装置。
【請求項１６】
複数のヘッドを長手方向につなぎ合わせて構成され、隣接するヘッドと対向する面となる各ヘッドの側面に撥液処理が施されたラインヘッドのメンテナンス方法であって、
前記ヘッドの液体吐出面の反対側において、隣接するヘッド間に設けられるチューブ支持部材に支持され、前記ヘッド間へ一方の端が挿入されるチューブを介して、前記ヘッド間へ気体を供給する気体供給工程を含むメンテナンス方法。
【請求項１７】
前記ヘッド間を吸引する吸引工程と、
前記吸引工程の後に、前記ヘッド間へ液体を供給する液体供給工程と、
を含み、
前記液体供給工程の後に、前記気体供給工程が実行される請求項１６に記載のメンテナンス方法。
【請求項１８】
前記液体供給工程の後に、前記ヘッド間へ供給された液体の汚れ具合を検出する汚れ検出工程を含み、
前記汚れ検出工程により前記ヘッド間へ供給された液体の汚れが基準よりもきれいになった場合に、前記気体供給工程が実行される請求項１７に記載のメンテナンス方法。
【手続補正２】
【補正対象書類名】明細書
【補正対象項目名】００４７
【補正方法】変更
【補正の内容】
【００４７】
キャップ部６４は、排出流路７２を介して廃インクタンク７４と連通され、排出流路７２には、ポンプ７６が設けられる。液体吐出面１６Ｄにキャップ部６４を密着させた状態でポンプ７６を動作させると、ノズルを介してラインヘッド１６内のインクが吸引される。
【手続補正３】
【補正対象書類名】明細書
【補正対象項目名】００５５
【補正方法】変更
【補正の内容】
【００５５】
図５は、ヘッド間洗浄の他の構成例を示す説明図である。図５に示す態様では、複数のエア供給チューブ８４‐１，８４‐２，８４‐３が設けられている。図５に示す態様では、隙間８０の全域に対して確実にエアを供給することができる。
【手続補正４】
【補正対象書類名】明細書
【補正対象項目名】００８３
【補正方法】変更
【補正の内容】
【００８３】
＜ヘッド間洗浄の構成例＞
図７は、第２実施形態に係るインクジェット記録装置におけるヘッド間洗浄の構成例を示す説明図である。同図に示す態様は、ヘッド１６Ａ間の隙間８０（ヘッド１６Ａの側面１６Ｂ）へエアを供給するエア供給部１２８の他に、該隙間８０に液体を供給する液供給部１４０（液体供給手段の構成要素）及び該隙間８０を吸引する吸引部１４２（吸引手段の構成要素）を具備し、該隙間８０には、エア供給チューブ８４の一方の端とともに、液供給チューブ１４４（液体供給チューブ）の一方の端、及び吸引チューブ１４６の一方の端が差し込まれている。
【手続補正５】
【補正対象書類名】明細書
【補正対象項目名】０１１５
【補正方法】変更
【補正の内容】
【０１１５】
＜制御フロー＞
図１３は、本例に示すヘッド間洗浄の流れを示すフローチャートである。同図に示すフローでは、図９に示すフローにおけるステップＳ１４（液供給工程）に代わり、洗浄液供給工程（ステップＳ１５）が含まれる。
【手続補正６】
【補正対象書類名】明細書
【補正対象項目名】０１６２
【補正方法】変更
【補正の内容】
【０１６２】
（第７態様）：気体供給手段からヘッド間へ供給される気体に乾燥処理を施す乾燥手段を備えた液体吐出装置。
【手続補正７】
【補正対象書類名】明細書
【補正対象項目名】０１６４
【補正方法】変更
【補正の内容】
【０１６４】
（第５態様）：液体供給手段は、ヘッド間へ洗浄液を供給する洗浄液供給手段と、ヘッド間へ水を供給する水供給手段と、を備えた液体吐出装置。
【手続補正８】
【補正対象書類名】明細書
【補正対象項目名】０１６６
【補正方法】変更
【補正の内容】
【０１６６】
（第６態様）：ヘッド間と、洗浄液供給手段及び水供給手段との接続関係を切り換える液切換手段を備えた液体吐出装置。
【手続補正９】
【補正対象書類名】明細書
【補正対象項目名】０１９０
【補正方法】変更
【補正の内容】
【０１９０】
（第１８態様）：液体供給工程の後に、ヘッド間へ供給された液体の汚れ具合を検出する汚れ検出工程を含み、汚れ検出工程によりヘッド間へ供給された液体の汚れが基準よりもきれいになった場合に、気体供給工程が実行されるメンテナンス方法。
【手続補正１０】
【補正対象書類名】図面
【補正対象項目名】図１１
【補正方法】変更
【補正の内容】
【図１１】
2013193431.tif 000001